(57)【要約】【課題】安価に製造でき、かつ優れた操作性を有するタッチパネル操作用手袋を提供する。【解決手段】手袋本体１２の少なくとも指部の先端部分に、他の部分よりも糸が細く密度も低く編成されたタッチ部１８ａ，２０ａ，２２ａを備える。タッチ部１８ａ，２０ａ，２２ａは、１００〜２００デニールの糸で、７〜１８ゲージで編成されている。タッチ部１８ａ，２０ａ，２２ａは、ナイロン又はポリエステルのウーリー糸を用いて編成されている。【選択図】図１
2013185267.tif 000002
【特許請求の範囲】
【請求項１】
手袋本体の少なくとも指部の先端部分に、他の部分よりも糸が細く密度も低く編成されたタッチ部を備えたことを特徴とするタッチパネル操作用手袋。
【請求項２】
手袋本体の指部の先端側部分は、１００〜２００デニールの糸で、７〜１８ゲージで編成されている請求項１記載のタッチパネル操作用手袋。
【請求項３】
前記タッチ部は、ウーリー糸を用いて編成されている請求項２記載の静電容量式タッチパネル操作用の手袋。
【請求項４】
前記タッチ部は、ナイロン又はポリエステルのウーリー糸を用いて編成されている請求項３記載の静電容量式タッチパネル操作用の手袋。
【発明の詳細な説明】
【技術分野】
【０００１】
この発明は、手に装着した状態でタッチパネルの操作を行うことができる手袋に関する。
【背景技術】
【０００２】
近年、静電容量式タッチパネルを備えたスマートフォン等の携帯用機器が広く普及しつつある。この種の携帯用機器は屋外の寒い場所でも使用されるので、手袋をはめたままタッチパネルを操作したいという要望がある。
【０００３】
手に装着したまま静電容量式タッチパネルを操作できる手袋として、例えば特許文献１に開示されているように、導電性繊維の糸で編成された親指袋及び人差指袋を有し、その他の残部が非導電性繊維の糸で編成されたタッチパネル操作用の手袋がある。
【０００４】
また、特許文献２に開示されているように、非導電性の手袋本体の指先部分に、所定面積を有する導電体を設けたタッチパネル操作用手袋がある。この導電体としては、導電性を有する糸、塗料、樹脂、金属材又はゴム材などである。
【先行技術文献】
【特許文献】
【０００５】
【特許文献１】実用新案登録第３１６０２１１号公報
【特許文献２】特開２００８−８１８９６号公報
【発明の概要】
【発明が解決しようとする課題】
【０００６】
しかし、特許文献１，２に開示された導電性繊維の糸により編まれた手袋の場合、生地を構成する糸が比較的太く編成密度も高いので、手袋を装着しているだけで、細かな操作がしにくくなる上に、タッチパネルの操作画面に触れる導電部が、手の指先よりも広くなるので、手袋を装着しないときに比べて著しく操作しにいという問題があった。しかも、長期間の使用により手袋先端部が毛羽立ち、導電性繊維が意図しない箇所に触れてしまい誤操作が多くなるという問題があった。
【０００７】
特許文献２に開示された指先部分に導電体を設けた手袋の場合も、上記と同様に指先の面積が広くなり誤操作しやすいという問題があった。さらに、手袋の指先に導電体の塗料等を塗布すると、指先の感覚が伝わらなくなり、より誤操作をしやすくなるものであった。
【０００８】
この発明は、上記背景技術に鑑みて成されたものであり、安価に製造でき、かつ優れた操作性を有するタッチパネル操作用手袋を提供することを目的とする。
【課題を解決するための手段】
【０００９】
この発明は、手袋本体の少なくとも指部の先端部分に、他の部分よりも糸が細く密度も低く編成されたタッチ部を備えたタッチパネル操作用手袋である。
【００１０】
手袋本体の指部の先端側部分は、１００〜２００デニールの糸で、７〜１８ゲージで編成されているものである。
【００１１】
前記タッチ部は、ナイロン又はポリエステルのウーリー糸を用いて編成されているものである。
【発明の効果】
【００１２】
この発明のタッチパネル操作用手袋は、使用者の指先の操作感が良く、誤操作が少なく、画面も皮脂等で汚れないようにすることができる。さらに、比較的高価な導電性繊維を使用しなくても良いので、コストも抑えることができ、タッチパネル操作用手袋を安価に提供することができる。
【図面の簡単な説明】
【００１３】
【図１】この発明の一実施形態のタッチパネル操作用手袋を示す正面図（ａ）と右側面図（ｂ）である。
【図２】この実施形態のタッチパネル操作用手袋の使用状態を示す部分断面図である。
【発明を実施するための形態】
【００１４】
以下、この発明のタッチパネル操作用手袋の一実施形態について、図１、図２に基づいて説明する。この実施形態のタッチパネル操作用手袋１０は、ナイロンやポリエステル、綿やウール等の非導電性の編み糸を手袋状に編み上げた手袋本体１２から成る。手袋本体１２は手の平部１４と手の甲部１６が筒状に形成され、手の平部１４と手の甲部１６の一方の端部には、親指部１８、人差指部２０、中指部２２、薬指部２４、小指部２６の５本の指部が形成されている。手の平部１４と手の甲部１６の他方の端部は筒状の手首部２８が設けられ、手首部２８は伸縮性が高い織り方で手首にフィットするように作られている。
【００１５】
親指部１８、人差指部２０、中指部２２の先端側部分は、その他の部分を編成する糸よりも細い糸で、極細長繊維のナイロンウーリー糸の１５０デニールの太さの糸で、編成の密度も粗い１３ゲージ（単位長さあたりの段数）程度の密度で編成されたタッチ部１８ａ，２０ａ，２２ａが形成されている。タッチ部１８ａ，２０ａ，２２ａの糸は、ナイロンウーリー糸の他、ポリエステルのウーリー糸でも良い。糸の太さは、１００〜２００デニール程度の好ましく、より好ましくは１３０〜１７０デニールが良い。糸が細すぎると、指先がタッチパネルに直接接触し、汚れの原因となり、太すぎると、タッチパネルが反応しないからである。編成の密度も、単位長さあたり７〜１８ゲージで編成され、特に１０〜１６ゲージが好ましく、１０ゲージを下回ると、上記と同様に、指先がタッチパネルに直接接触し、汚れの原因となり、密度が高いと、タッチパネルが反応し難くなるからである。タッチ部１８ａ，２０ａ，２２ａの長さは、各指部分だけでも良いが、指先の第一関節から先端側の部分を袋状に覆う範囲であれば良い。
【００１６】
次に、この発明のタッチパネル操作用手袋１０の製造方法について説明する。この実施形態のタッチパネル操作用手袋１０の製造方法は、手袋本体編成工程で、非導電性の編み糸を手袋状に編成し、親指部１８、人差指部２０、中指部２２の指先部分については、ナイロンウーリー糸等の極細の糸でタッチ部１８ａ，２０ａ，２２ａを編成し、手袋本体１２を編み上げて、タッチパネル操作用手袋１０が完成する。
【００１７】
以上説明したように、この実施形態のタッチパネル操作用手袋１０は、手袋本体１２の指先部分に、極細糸の粗い編み目のタッチ部１８ｂ，２０ｂ，２２ｂが設けられ、使用者がタッチパネル操作用手袋１０を手に装着した状態で、タッチ部１８ｂ，２０ｂ，２２ｂを介してタッチパネルを確実に操作することができる。特に、図２に示すように、タッチ部１８ａ，２０ａ，２２ａは、薄く粗いので、指先３０がタッチパネル３２に接触したことを容易に操作者が認識することができ、静電容量式のタッチパネル３２であっても電気的にタッチパネル３２と指先３０が導通し、その操作画面を確実に操作することができる。しかも、細かい操作も容易であり、小さな操作ボタンが密集して表示されている場合でも、タッチ部１８ｂ，２０ｂ，２２ｂで所望の操作ボタンに的確にタッチすることができる。
【００１８】
さらに、この実施形態のタッチパネル操作用手袋１０は、コストの掛かる導電性繊維を用いたり、導電性塗料を塗布したりする工程が無く、製造工程が通常の手袋と同様であり、安価に効率よくタッチパネル操作用手袋を製造することができる。
【００１９】
なお、この実施形態のタッチパネル操作用手袋は、上記実施形態に限定されず、タッチ部の数や形状は適宜設定可能であり、タッチ部の糸の太さや密度も、上述の範囲で適宜選択可能なものである。
【符号の説明】
【００２０】
１０  タッチパネル操作用手袋
１２  手袋本体
１４  手の平部
１８  親指部
１８ａ，２０ａ，２２ａ  タッチ部
２０  人差指部
２２  中指部
２４  薬指部
２６  小指部
【図１】
2013185267.tif 000003
【図２】
2013185267.tif 000004